(57)【特許請求の範囲】
【請求項１】
軸筒内に筆記体を配置して、該軸筒の先端開口より筆記体のペン先部が出入自在に構成されるキャップレス筆記具において、
前記軸筒の先端開口の内側に、先端側の形状がドーム状凸部であり、未使用時にはペン先部から離間されたゴム材または弾性樹脂材で形成されるインナーキャップが嵌め合わされ、
前記インナーキャップには、ドーム状凸部の基部の外周端部に外周に沿って先端側シール部が先端方向に向かい突設され、
前記軸筒にはその先端部の内側にシール溝が形成され、
該シール溝に前記先端側シール部を嵌め合わして、インナーキャップを先端部の内側に取付け、インナーキャップにより軸筒内部を密閉するようにし、
前記インナーキャップの軸心方向の略中央部を通って筋状薄膜部を形成し、ペン先部が軸筒の先端開口より外部へ突出する最初の動作で、前記筋状薄膜部が破断されて、スリットが形成されることを特徴とするキャップレス筆記具。
【請求項２】
前記筋状薄膜部は、幅を０．０１〜１．０ｍｍとし、膜厚を０．０１〜０．５ｍｍとすることを特徴とする請求項１に記載のキャップレス筆記具。
【請求項３】
前記インナーキャップは、スポンジ状の弾性体で形成されることを特徴とする請求項１または２に記載のキャップレス筆記具。
【発明の詳細な説明】
【０００１】
【発明の属する技術分野】
本発明は、キャップレスの筆記具に関し、特に、乾燥防止機構を有するキャップレスの筆記具に関するものである。
【０００２】
【従来の技術】
従来、水性や油性のマーキングペン、水性ボールペンや万年筆などの筆記具においては、筆記部の先端のインクが乾燥して筆記できなくなることを防止するために、先端部を密閉するためのキャップを備えるものが一般に用いられている。
また、上記のようにキャップを備えた筆記具の場合には、頻繁に使用する際に、使用するたびにキャップを着脱する必要があり面倒であることから、別体のキャップを不要とした、いわゆるキャップレスの筆記具が数多く提案されている。
【０００３】
しかしながら、キャップレスの筆記具の場合、別体のキャップの代わりに狭い筆記部本体内部に先端部を密閉するための密閉機構を構成する必要があり、従来の方式によると密閉機構が複雑となり、構成部品の部品点数が多くなることで、組立て作業が複雑となり、さらに、生産コストが高くなるという問題点があった。
【０００４】
そこで、筆記部先端を密閉する方法として、実開昭４９−３２７３１号公報（以下、従来例１と称する。）に開示されているように、筆記具の軸筒内部の先端部に中央から外側に向かい切り込みを入れた弁板を組み込み、その切り込み部分より筆記部先端を突出するようにした方式や、実開昭４９−１０７４２１号公報（以下、従来例２と称する。）に開示されているように、筆記具の軸筒内部の基端部及び先端部にパッキンを設けて軸筒内部を密閉するとともに、先端部の対向当接させたパッキンの当接部より筆記部先端を突出するようにした方式や、実開昭６３−２３０８４号公報（以下、従来例３と称する。）に開示されているように、キャップ本体の前方に開口部を有する弾性自閉体を設けて、軸筒先端部のペン先部を突出するようにしたものが提案されている。
【０００５】
また、その他の方法として、特開平１−２８１９９９号公報（以下、従来例４と称する。）に開示されているように、筆記具の軸筒内部の先端部に形成され、筆記部のペン先部が収容されるシール室の先端側を開閉自在とするシール手段を備え、該ペン先部が先端部より突出する時に、シール室の先端側を開放するようにした方式や、実開昭５８−８９３９４号公報（以下、従来例５と称する。）に開示されているように、筆記具の軸筒内の先端部配置される先軸先端部にペン先部を密閉する密閉部材が密嵌固定されて、先軸の動作に伴ない密嵌部材の先端部が開閉するようにした方法が提案されている。
【０００６】
【発明が解決しようとする課題】
しかしながら、前記従来例１、２、３のような方式によると、ペン先が突出するシール部にはすでに開口部が形成されているため、使用する以前においても密閉性に問題がある。
また、従来例４のような方式によると、シール室やシール開閉機構など構造が複雑になるという問題点があり、同様に、従来例５のような方式においても、別部品でシール室を構成して開口機構を設けるなど構造が複雑になるという問題点があった。
【０００７】
本発明は、上記従来の問題点に鑑みてなされたものであり、簡単な構成で軸筒内部のペン先部を密閉できるとともに、使用する前においてのペン先部の密閉状態を確実にしたキャップレス筆記具を提供することを目的とするものである。
【０００８】
【課題を解決するための手段】
本発明は、キャップレス筆記具に係り、軸筒内に筆記体を配置して、該軸筒の先端開口より筆記体のペン先部が出入自在に構成されるキャップレス筆記具において、
前記軸筒の先端開口の内側に、先端側の形状がドーム状凸部であり、未使用時にはペン先部から離間されたゴム材または弾性樹脂材で形成されるインナーキャップが嵌め合わされ、
前記インナーキャップには、ドーム状凸部の基部の外周端部に外周に沿って先端側シール部が先端方向に向かい突設され、
前記軸筒にはその先端部の内側にシール溝が形成され、
該シール溝に前記先端側シール部を嵌め合わして、インナーキャップを先端部の内側に取付け、インナーキャップにより軸筒内部を密閉するようにし、
前記インナーキャップの軸心方向の略中央部を通って筋状薄膜部を形成し、ペン先部が軸筒の先端開口より外部へ突出する最初の動作で、前記筋状薄膜部が破断されて、スリットが形成されることを特徴とするものである。
【０００９】
また、前記筋状薄膜部は、幅を０．０１〜１．０ｍｍとし、膜厚を０．０１〜０．５ｍｍとすることが好ましい。
また、前記インナーキャップは、スポンジ状の弾性体で形成されることが好ましい。
【００１０】
本発明によれば、以下のような作用が得られる。
すなわち、本発明のキャップレス筆記具によれば、軸筒の先端開口の内側に、先端側の形状がドーム状凸部であり、未使用時にはペン先部から離間されたゴム材または弾性樹脂材で形成されるインナーキャップが嵌め合わされることで軸筒内部を密閉することができる。また、前記インナーキャップには、ドーム状凸部の基部の外周端部に外周に沿って先端側シール部が先端方向に向かい突設され、前記軸筒にはその先端部の内側にシール溝が形成され、該シール溝に前記先端側シール部を嵌め合わして、インナーキャップを先端部の内側に取付け、インナーキャップにより軸筒内部を密閉するようにしている。
しかも、前記インナーキャップの軸心方向の略中央部を通って未貫通の筋状薄膜部を形成することで、ペン先部を突出させて使用開始するまで長時間にわたり、軸筒内の密封状態を確実にすることができる。
また、ペン先部が軸筒の先端開口より外部へ突出する最初の動作で前記筋状薄膜部を破断してスリットを形成することにより、該スリットを通ってペン先部を容易に突出させることができるとともに、前記インナーキャップをゴム材または弾性樹脂材で形成することにより、ゴム材や樹脂材の弾性力により該スリットを容易に密着させて密閉状態にすることができる。
【００１１】
また、前記筋状薄膜部の幅を０．０１〜１．０ｍｍとし、膜厚を０．０１〜０．５ｍｍとすることで、キャップレス筆記具を使用開始する時に、ペン先部でスリットを確実にかつ容易に破断することができるとともに、前記筋状薄膜部が破断した後でも、キャップレス筆記具未使用時にはスリットを密着させて軸筒内を密閉状態にすることができる。
また、前記インナーキャップをスポンジ状の弾性体で形成することで、容易に軸筒内を密閉可能にできる。
【００１２】
【発明の実施の形態】
以下、本発明の実施の形態を、図面を参照して詳細に説明する。
図１〜図３は発明を実施する形態の一例であって、図中、図と同一の符号を付した部分は同一物を表わしている。
図１は本発明の実施形態に係るキャップレス筆記具の全体の構成を示す断面図、図２は前記キャップレス筆記具の使用時の状態を示す断面図、図３の（ａ）は図１のＡ−Ａ断面矢視図、（ｂ）は図３の（ａ）のＢ−Ｂ断面矢視図、（ｃ）は図３の（ａ）のＣ−Ｃ断面矢視図である。
【００１３】
本実施形態に係るキャップレス筆記具１は、図１に示すように、軸筒２内に筆記部本体５を配置して、該軸筒２の先端部３に形成された開口部４より筆記部本体５のペン先部６が出入自在に構成されたものである。
前記筆記部本体５は、軸筒２内の前側の内周に沿って配置されたコイルスプリング７によって後部方向に付勢されるとともに、軸筒２内後部に設けられるストッパ１０により後方で保持されている。また、筆記部本体５の後端部１１には、ペン先部６を突出させるための押し部１４が、軸筒後端部１２より出入自在に設けられている。
【００１４】
前記筆記部本体５の後部には、ストッパ係止部１５が軸心方向に沿って後方に向かい広いクサビ状に、かつ軸心方向に向かい突設形成されている。前記ストッパ係止部１５の後端には、軸心方向に略垂直に係止部１５ａが形成され、前記ストッパ１０には、前記係止部１５ａと対向してノッチ１０ａが形成されている。
前記筆記部本体５は、その後端部１１を前方に向かい、コイルスプリング７のばね力に勝って先端側へ押圧すると、ペン先部６が先端の開口部４より突出するようにされている。
【００１５】
前記軸筒２内の先端部３には、図１、３の（ａ）〜（ｃ）に示すように、先端方向にドーム状に突出形成された凸部２１を有するインナーキャップ２０が設けられている。前記インナーキャップ２０は、ゴム材または弾性樹脂材により形成され、前記ドーム状凸部２１の基部２２の一部位２２ａより、該ドーム状凸部２１のほぼ中央部２３を通り、軸心方向を中心に対向する部位２２ｂに亘り、平面視で略直線状に外形に沿って筋状に凹んだ未貫通のスリット溝２５が形成されている。前記スリット溝２５の底部には筋状の薄膜部２６が形成されている。
【００１６】
前記スリット溝２５は、図３の（ａ）に示すように、前記ドーム状凸部２１の内側に形成され、スリット幅を０．０１〜１．０ｍｍとするとともに、溝の開口側を広く、底部側すなわち薄膜部２６側を狭くした略くさび状で形成されている。前記薄膜部２６は、前記ドーム状凸部２１の外周に沿って形成され、膜厚を０．０１〜０．５ｍｍとして形成されている。
【００１７】
前記インナーキャップ２０は、図３の（ｂ）に示すように、ドーム状凸部２１の基部２２の外周端部に、三角形状断面を有する先端側シール部２７が外周に沿って円周に亘りに連続的に先端方向に向かい突設されている。また、前記基部２２の後端面２８には、前記先端側シール部２７よりも内側で小径の矩形断面を有する後側シール部２９が円周方向全周に亘りに連続的に後部方向に向かい突設されている。
【００１８】
前記軸筒２の先端部３の内側には、図１に示すように、前記インナーキャップ取付け部３ａが段付き形成され、前記先端側シール部２７が嵌め合わされるシール溝３ｂが形成されている。
また、前記インナーキャップ２０の後方には、該インナーキャップ２０を先端部３内側に取付けるためのインナーキャップホルダ３０が配置されている。
【００１９】
前記インナーキャップホルダ３０は、リング状に形成され、その円周方向の外周面を前記先端部３の内壁部に嵌合するとともに、前記インナーキャップ２０を先端部３の内側へ取付けることで、前記インナーキャップ２０により軸筒２内部を密閉するようにしている。
【００２０】
次に、本実施形態に係るキャップレス筆記具の作動を説明する。
まず、キャップレス筆記具１を使用しない場合、図１に示すように、軸筒２の内部に筆記部本体５とともにペン先部６も収容されている。
ここで、キャップレス筆記具１が一度も使用されていない場合は、インナーキャップ２０に形成されたスリット溝２５をペン先部６が貫通していないため、スリット溝２５の底部に形成された薄膜部２６は破壊されていない。したがって、軸筒２内部の気密状態は完全に保たれ、キャップレス筆記具１が使用されるまでは塗布剤の揮発を最小限に止めることができる。
【００２１】
次に、前記キャップレス筆記具１を使用する場合、図２に示すように、軸筒２を握り、筆記部本体５の後端部に形成された押し部１４をコイルスプリング７のばね力に勝って先端方向へ押し込む。
図１から２に示すように、筆記部本体５が軸筒２内部に入り込むとともに、該筆記部本体５の後端部１１に形成されたストッパ係止部１５が先端方向に移動する。そして、ストッパ１０を通過して該ストッパ１０端部のノッチ１０ａとストッパ係止部１５の係止部１５ａと対向する位置まで移動する。この時、前記押し部１４は軸筒後端部１２の端部に配置され、一方、ペン先部６は軸筒２の先端部３の開口部４より突出した状態となる。
【００２２】
この状態で、前記押し部１４を開放すると、コイルスプリング７のばね力により筆記部本体５は後方に押し戻されるが、前記ノッチ１０ａに係止部１５ａが止められるため、前記筆記部本体５が後方から突出することはない。したがって、開口部４よりペン先部６が突出した状態で保持される。
【００２３】
ここで、インナーキャップ２０において、ドーム状凸部２１の内側のスリット溝２５は薄膜部２６のみにより連結されているだけなので、強度的に一番弱くなっている。そこに、ペン先部６によって先端方向に当接押圧されることにより、スリット溝２５を容易に貫通することができる。しかも、円周方向に沿ってスリット溝２５が形成されているので、インナーキャップ２０は溝に沿ってきれいに２分割される。
【００２４】
ペン先部６を収容する場合は、ストッパ１０の側面を押し込むことで、ノッチ１０ａと係止部１５ａとを容易に外すことができ、コイルスプリング７のばね力により筆記部本体５を後方に移動して、ペン先部６を軸筒２内部に収容することができる。
【００２５】
前記インナーキャップ２０は、ペン先部６が回避するとペン先部６により広げられたスリット溝２５は弾性力によって元のスリット溝２５の状態に戻ろうとするため、最小の隙間状態に復元される。したがって、キャップレス筆記具１を使用しない場合であっても、スリット溝２５の合わせ部からの塗布剤の揮発を最小限に止めることができる。
【００２６】
以上のように構成したので、本実施形態によるキャップレス筆記具１によれば、ペン先部６が出入自在とされるスリット溝２５を有するインナーキャップ２０を備えることで、ペン先部６が収容される軸筒２内部を容易に密閉できるとともに、該スリット溝２５に薄膜部２６を形成することで、キャップレス筆記具１を最初に使用するまでの軸筒内部の密閉状態を確実にすることができる。
【００２７】
また、インナーキャップ２０および薄膜部２６にゴム材または弾性樹脂材を使用したので、破断した後のインナーキャップ２０の弾性力により該スリット溝２５を閉じる方向に力が作用するため、密閉状態を良好に保つことができる。さらに、前記インナーキャップ２０に先端側シール部２７および後側シール部２９を形成したので、軸筒２内部の密閉状態を確実にすることができる。
【００２８】
また、前記薄膜部２６の膜厚を０．０１〜０．５ｍｍとすることで、キャップレス筆記具１を使用開始する時に、ペン先部６でスリット溝２５に沿って確実にかつ容易に薄膜部２６を破断することができる。また、前記スリット溝２５のスリット幅を０．２〜１．０ｍｍとすることで、薄膜部２６が破断した後でも、キャップレス筆記具１未使用時にはスリット溝２５を密着させて軸筒２内の密閉状態を保つことができる。
【００２９】
また、本実施形態によれは、インナーキャップ２０の先端側を、先端開口に向かいドーム状に突出形成したので、先端側外周部の剛性を高くでき、スリット２５を閉じる方向に力が作用した場合に確実にスリット２５を密着させることができる。
【００３０】
尚、本実施形態においては、インナーキャップ２０をゴム材または弾性樹脂材で形成しているが、本発明は、これに限定されるものではなく、変形例として、スポンジ状のゴム材または弾性樹脂材で形成するものであってもよい。このような構成によると、ペン先を出し入れする時にインナーキャップ２０のペン先部６が突出する部分、スリット２５をさらに容易に変形、復元できるので、該スリット２５の密着性を高めてより密閉性を高めることができるとともに、液漏れが生じた場合であっても吸水性があるので直接液だれとなることがない。
【００３１】
また、本実施形態は、インナーキャップ２０の先端側の形状をドーム状としている。
【００３２】
また、本実施形態は、インナーキャップ２０のドーム状凸部２１の中央部を通るスリット２５を１箇所に形成しているが、本発明は、スリットの形状や数に限定されるものではなく、スリットを複数形成したものであっても良く、例えば、ドーム状凸部２１の中央部より放射状に３本形成して略三菱状にしたものや、４本形成して十字状に形成したもの、あるいは６本形成したものであってもよい。
【００３３】
また、本実施形態は、スリット溝２５をドーム状凸部２１の内側に形成し、薄膜部２６を該スリット溝２５の底部、すなわちドーム状凸部２１外側に形成しているが、本発明は、薄膜部を形成するものであれば、薄膜部が形成される位置や、スリット溝と組合わせて形成することに限定されるものではなく、例えば、インナーキャップの先端側に形成されたスリットのインナーキャップ内側に薄膜部を形成するようにしたものや、該スリットの中に薄膜部を形成するようにしたものであっても良い。
【００３４】
また、本発明のキャップレス筆記具は、上述の図示例にのみ限定されるものではなく、本発明の要旨を逸脱しない範囲内において種々変更を加え得ることは勿論である。
【００３５】
【発明の効果】
以上、説明したように、本発明の請求項１〜３記載のキャップレス筆記具によれば、ゴム材または弾性樹脂材で形成するとともに、未貫通の筋状の薄膜部を備えるインナーキャップを軸筒内の先端部に設けることで、使用する前における軸筒内のペン先部の密閉状態を確実にでき、しかも、使用時にはペン先部を簡単な構成で出入自在にできるとともに、未使用時にはペン先部が収容される軸筒内を確実に密閉することができるという優れた効果を奏する。
【図面の簡単な説明】
【図１】本発明に実施形態に係るキャップレス筆記具の全体の構成を示す断面図である。
【図２】前記キャップレス筆記具の使用時の状態を示す断面図である。
【図３】（ａ）は図１のＡ−Ａ断面矢視図、（ｂ）は図３の（ａ）のＢ−Ｂ断面矢視図、（ｃ）は図３の（ａ）のＣ−Ｃ断面矢視図である。
【符号の説明】
１  キャップレス筆記具
２  軸筒
３  先端部
３ａ  インナーキャップ取付け部
３ｂ  シール溝
４  開口部
５  筆記部本体
６  ペン先部
２０  インナーキャップ
２１  ドーム状凸部
２５  スリット溝
２６  薄膜部
２７  先端側シール部
２９  後側シール部
３０  インナーキャップホルダ
【図１】
0004666794.tif 000002
【図２】
0004666794.tif 000003
【図３】
0004666794.tif 000004